(57)【要約】      （修正有）【課題】グロープラグにおけるセラミックグローピン内で生じ得るイオン移動現象を低減ないしは中断させること。【解決手段】作動電圧の極性がグロープラグ１０への電流供給期間中に切換えられるようにする。グロープラグには搭載電源網電圧１３から生成されパルス形態にクロック制御された作動電圧が供給され、その場合加熱時間制御機器１１が作動電圧を供給する。その際グロープラグの電流供給期間中に作動電圧の極性が切替えられ、それに対して作動電圧の転極のために切替え装置１４が設けられている。【選択図】図２
2010025114.tif 000002
【特許請求の範囲】
【請求項１】
搭載電源網電圧（１３）から生成されパルス形態にクロック制御された作動電圧が供給される、グロープラグ（１０）の駆動制御のための方法において、
作動電圧の極性がグロープラグ（１０）への電流供給期間中に切換えられるようにしたことを特徴とする方法。
【請求項２】
作動電圧は各パルスに従って転極される、請求項１記載の方法。
【請求項３】
作動電圧は所定の数のパルスに従って転極される、請求項１記載の方法。
【請求項４】
作動電圧の転極は加熱時間制御機器（１３）によって制御される、請求項１から３いずれか１項記載の方法。
【請求項５】
請求項１から４いずれか１項記載の方法を実施するための装置において、
グロープラグ（１０）に対する作動電圧の転極のための切替え装置（１４）が設けられていることを特徴とする装置。
【請求項６】
前記切替え装置（１４）は加熱時間制御機器（１１）によって駆動制御されており、前記加熱時間制御機器（１１）は作動電圧の転極を開始させる、請求項５記載の装置。
【発明の詳細な説明】
【技術分野】
【０００１】
本発明は請求項１の上位概念によるグロープラグの駆動制御のための方法及び装置に関している。
【背景技術】
【０００２】
グロープラグ若しくはグロー装置の一部としてのグロープラグは、ディーゼルエンジンの冷間始動時と冷間運転期間中に用いられている。搭載電源網電圧の中断期間中に（通常これはスターターの作動期間中に生じる）グロープラグの短時間の加熱を保証するために、グロープラグは低電圧型グロープラグとして構成される。所要の作動電圧への搭載電源網電圧の低減は、所定のデューティー比を用いた搭載電源網電圧のクロック制御によって行われる。それに対して加熱時間制御機器が設けられており、この機器はグロープラグに搭載電源網電圧を印加接続させるスイッチングユニットを駆動制御している。このスイッチングユニットは、図１に示されているようなクロック制御された電圧パルスの形態の有効な電圧値をグロープラグに供給している（これについてはＤＥ１９７４４９２４Ｃ２が参照される）。
【０００３】
セラミック性のグローピンを備えたグロープラグの場合では、グロープラグの駆動制御のための極性反転された電流／電圧経過に基づいてイオン移動が生じることが考慮されていた。Ｓｉ3Ｎ4セラミックからなるグロープラグのセラミックグローピンにおいては次のことが確認された。すなわちセラミックグローピンにおける焼結付加物として投入された希土類酸化物の希土類イオンと酸素イオンへの分解が確認された。この場合これらの希土類イオンと酸素イオンはグロープラグの正極ないし負極端子へ向けられる。この種のイオン移動はグロープラグの特性に多大な影響を与え、グロープラグ自体の機能不全につながる。
【先行技術文献】
【特許文献】
【０００４】
【特許文献１】ＤＥ１９７４４９２４Ｃ２
【発明の概要】
【発明が解決しようとする課題】
【０００５】
本発明の課題は、グロープラグにおけるセラミックグローピン内で生じ得るイオン移動現象を低減ないしは中断させることである。
【課題を解決するための手段】
【０００６】
前記課題は本発明により、作動電圧の極性がグロープラグへの電流供給期間中に切換えられるようにして解決される。
【０００７】
また前記課題は本発明により、グロープラグに対する作動電圧の転極のための切替え装置（１４）が設けられることによって解決される。
【図面の簡単な説明】
【０００８】
【図１】従来技法によるグロープラグの駆動制御に対する電流／電圧経過を示した図
【図２】本発明によるグロープラグの駆動制御のための構成を示したブロック回路図
【図３】本発明の第１実施例によるグロープラグの駆動制御に対する電流／電圧経過を示した図
【図４】本発明の第２実施例によるグロープラグの駆動制御に対する電流／電圧経過を示した図
【発明を実施するための形態】
【０００９】
グロープラグには搭載電源網電圧から生成されパルス形態にクロック制御された作動電圧が供給され、その場合加熱時間制御機器が作動電圧を供給する。その際グロープラグの電流供給期間中に作動電圧の極性が切替えられ、それに対して作動電圧の転極のために切替え装置が設けられている。
【００１０】
グロープラグの極性反転される駆動制御によって反転する電界に続いてイオン移動方向の入れ替わりも生じる。それによりイオン移動プロセスが抑圧されるか、少なくとも著しく低減される。
【００１１】
グロープラグに対する作動電圧の本発明による極性反転のもとでは、作動電圧の各切替えと共にイオン移動の方向性も入れ替わる。それにより、原子を極に到達させるための期間とそれに伴うグロープラグの劣化過程の期間が著しく短縮されるかないしは著しく抑圧される。
【００１２】
本発明の有利な変化実施例は従属請求項に記載の手段によって可能である。作動電圧の転極は、各パルス毎に、若しくは所定の数のパルス毎に行うことが可能である。また有利には、作動電圧の転極のための切替え装置が加熱時間制御機器によって駆動制御される。
【実施例】
【００１３】
次に本発明を図面に基づき以下の明細書で詳細に説明する。
【００１４】
図２には本発明によるグロープラグ１０の駆動制御のための装置の基本回路図が示されている。この装置１０は、グロー時間制御機器１１とスイッチングユニット１２を含んでいる。このスイッチングユニット１２は、搭載電源網電圧１３に接続されており、さらに加熱時間制御機器１１によって駆動制御される。前記スイッチングユニット１２はパルス形態でクロック制御された作動電圧を生成し、この作動電圧は搭載電源網電圧１３に対して低減されている。スイッチングユニット１２はグロープラグ１０の作動電圧の転極のための切替え装置１４を有している。グロープラグ１０はそれに対して電気的に絶縁された二線式のリード線路を有している。すなわち一方の極はアースにおかれていない。この場合加熱時間制御機器１１は例えば作動電圧のパルスのクロックも、図３及び図４に示されているような転極のための周期も制御している。クロック制御された作動電圧と転極の周期は図３及び図４に示されている経過特性から出発する。
【００１５】
図３の実施例によれば、切替え装置１４を用いてグロープラグ１０の作動電圧の極性が各パルス毎に切替えられる。それによりグロープラグ１０を通って流れる電流の方向が各クロック毎に切り替る。
【００１６】
図４の実施例によれば、前記切替え装置１４によって作動電圧の２つのパルス毎にグロープラグ１０に印加される作動電圧の転極が行われている。それによりグロープラグ１０を通って流れる電流の方向がそれぞれ２つのクロック毎に切り替る。
【００１７】
作動電圧の極性の切替えはクロック周期期間中の当該システムの慣性に依存しており、そのため図３に示されているように各クロック毎に若しくは図４に示されているようにそれぞれ２つのクロック毎に極性が切り替る。しかしながらこれ以外に例えば３以上のパルス毎に作動電圧の転極が行われるようにすることも可能である。また作動電圧の方向を不規則な周期で切換えることも可能である。
【符号の説明】
【００１８】
１０      グロープラグ
１１      加熱時間制御機器
１２      スイッチングユニット
１３      搭載電源網電圧
１４      切替え装置
【図１】
2010025114.tif 000003
【図２】
2010025114.tif 000004
【図３】
2010025114.tif 000005
【図４】
2010025114.tif 000006